(57)【要約】【課題】  視聴予約した番組が受信中であることを、その番組を表示することなく、ユーザに確実に通知することができるテレビ機能付き携帯電話を提供する。【解決手段】  チューナ１１は、テレビ番組の放送データを受信する。表示オブジェクト属性抽出部１２は、受信したテレビ番組の放送データに含まれる表示オブジェクトの属性を抽出する。表示制御部１３は、チューナでテレビ番組の放送データの受信中に、テレビ画面を表示せずに携帯電話のアプリケーションの画面を表示する。表示制御部は、携帯電話のアプリケーション画面に含まれる表示オブジェクトの属性を、チューナで受信中のテレビ番組の放送データについて表示オブジェクト属性抽出部で抽出された属性の少なくとも１つと同じにする。【選択図】        図１
2006186769.tif 000002
【特許請求の範囲】
【請求項１】
テレビ番組の放送データを受信するチューナと、
前記受信した放送データに含まれる表示オブジェクトの属性を抽出する表示オブジェクト属性抽出部と、
前記チューナでテレビ番組の放送データの受信中に、テレビ画面を表示せずに携帯電話のアプリケーションの画面を表示する表示制御部とを備え、
前記表示制御部は、前記携帯電話のアプリケーション画面に含まれる表示オブジェクトの属性を、前記チューナで受信中のテレビ番組の放送データについて前記表示オブジェクト属性抽出部で抽出された属性の少なくとも１つと同じにする、テレビ機能付き携帯電話。
【請求項２】
前記表示オブジェクト属性抽出部は、字幕または文字スーパを構成するフォントの色およびスタイルを抽出し、
前記表示制御部は、前記携帯電話のアプリケーション画面に含まれるフォントの色およびスタイルを、前記チューナで受信中のテレビ番組の放送データについて前記抽出された色およびスタイルと同じにする、請求項１記載のテレビ機能付き携帯電話。
【請求項３】
テレビ番組の放送データを受信するチューナと、
前記受信したテレビ番組の放送データに含まれる表示オブジェクトの描画のためのデータを抽出する表示オブジェクト抽出部と、
前記抽出した表示オブジェクトの描画のためのデータを用いて、前記表示オブジェクトを含む携帯電話のアプリケーションの画面を表示する表示制御部とを備えたテレビ機能付き携帯電話。
【請求項４】
テレビ番組の放送データを受信するチューナと、
前記受信したテレビ番組の放送データに含まれる画面のスタイルを抽出する画面スタイル抽出部と、
前記抽出した画面のスタイルを用いて、携帯電話のアプリケーションのテンプレート画面を作成するテンプレート画面作成部とを備えたテレビ機能付き携帯電話。
【発明の詳細な説明】
【技術分野】
【０００１】
本発明は、テレビ機能付き携帯電話に関し、特に、テレビ画面および携帯電話アプリケーションの画面を切替えて表示するテレビ機能付き携帯電話に関する。
【背景技術】
【０００２】
近年、携帯電話にテレビ放送などでの番組データを受信する機能を付加したテレビ機能付き携帯電話が提案されている（たとえば、特許文献１を参照）。このようなテレビ機能付き携帯電話では、番組の視聴予約の機能を有する。
【特許文献１】特開２００３−１８９２６７号公報
【発明の開示】
【発明が解決しようとする課題】
【０００３】
しかしながら、このようなテレビ機能付き携帯電話では、以下のような問題がある。
【０００４】
第１に、視聴予約した番組の視聴開始は、番組を表示してみないと、ユーザは番組の開始を知ることができない。
【０００５】
第２に、テレビ機能付き携帯電話で様々なフォントを利用したい場合に、フォントデータをダウンロードしたり、メモリカードなどからコピーしたりする必要があり、受信した番組のデータを利用することができない。
【０００６】
それゆえに、本発明の第１の目的は、視聴予約した番組が受信中であることを、その番組を表示することなく、ユーザに確実に通知することができるテレビ機能付き携帯電話を提供することである。
【０００７】
また、本発明の第２の目的は、受信したテレビ番組で用いられたフォントデータ、または画面スタイルなどを携帯電話アプリケーションの画面に利用することができるテレビ機能付き携帯電話を提供することである。
【課題を解決するための手段】
【０００８】
上記課題を解決するために、本発明のある局面に係るテレビ機能付き携帯電話は、テレビ番組の放送データを受信するチューナと、受信した放送データに含まれる表示オブジェクトの属性を抽出する表示オブジェクト属性抽出部と、チューナでテレビ番組の放送データの受信中に、テレビ画面を表示せずに携帯電話のアプリケーションの画面を表示する表示制御部とを備え、表示制御部は、携帯電話のアプリケーション画面に含まれる表示オブジェクトの属性を、チューナで受信中のテレビ番組の放送データについて表示オブジェクト属性抽出部で抽出された属性の少なくとも１つと同じにする。
【０００９】
好ましくは、表示オブジェクト属性抽出部は、字幕または文字スーパを構成するフォントの色およびスタイルを抽出し、表示制御部は、携帯電話のアプリケーション画面に含まれるフォントの色およびスタイルを、チューナで受信中のテレビ番組の放送データについて抽出された色およびスタイルと同じにする。
【００１０】
また、本発明の別の局面に係るテレビ機能付き携帯電話は、テレビ番組の放送データを受信するチューナと、受信したテレビ番組の放送データに含まれる表示オブジェクトの描画のためのデータを抽出する表示オブジェクト抽出部と、抽出した表示オブジェクトの描画のためのデータを用いて、表示オブジェクトを含む携帯電話のアプリケーションの画面を表示する表示制御部とを備える。
【００１１】
また、本発明のさらに別の局面に係るテレビ機能付き携帯電話は、テレビ番組の放送データを受信するチューナと、受信したテレビ番組の放送データに含まれる画面のスタイルを抽出する画面スタイル抽出部と、抽出した画面のスタイルを用いて、携帯電話のアプリケーションのテンプレート画面を作成するテンプレート画面作成部とを備える。
【００１２】
また、本発明のさらに別の局面に係るテレビ機能付き携帯電話は、テレビ番組の放送データを受信するチューナと、携帯電話のアプリケーションの画面を表示せずにチューナで受信中のテレビ番組の放送データに含まれる画面を表示する表示制御部とを備え、表示制御部は、テレビ番組の放送データに含まれる画面に含まれる表示オブジェクトの属性を、携帯電話のアプリケーションで用いる表示オブジェクトの属性の少なくとも１つと同一にする。
【００１３】
本発明のある局面に係るテレビ機能付き携帯電話の表示方法は、テレビ番組の放送データを受信するステップと、受信した放送データに含まれる表示オブジェクトの属性を抽出する表示オブジェクト属性抽出ステップと、テレビ番組の放送データの受信中に、テレビ画面を表示せずに携帯電話のアプリケーションの画面を表示する表示制御ステップとを含み、表示制御ステップは、携帯電話のアプリケーション画面に含まれる表示オブジェクトの属性を、受信中のテレビ番組の放送データについて表示オブジェクト属性抽出ステップで抽出された属性の少なくとも１つと同じにする。
【００１４】
好ましくは、表示オブジェクト属性抽出ステップは、字幕または文字スーパを構成するフォントの色およびスタイルを抽出し、表示制御ステップは、携帯電話のアプリケーション画面に含まれるフォントの色およびスタイルを、チューナで受信中のテレビ番組の放送データについて抽出された色およびスタイルと同じにする。
【００１５】
また、本発明の別の局面に係るテレビ機能付き携帯電話の表示方法は、テレビ番組の放送データを受信するステップと、受信したテレビ番組の放送データに含まれる表示オブジェクトの描画のためのデータを抽出するステップと、抽出した表示オブジェクトの描画のためのデータを用いて、表示オブジェクトを含む携帯電話のアプリケーションの画面を表示するステップとを含む。
【００１６】
また、本発明のさらに別の局面に係るテレビ機能付き携帯電話の表示方法は、テレビ番組の放送データを受信するステップと、受信したテレビ番組の放送データに含まれる画面のスタイルを抽出すステップと、抽出した画面のスタイルを用いて、携帯電話のアプリケーションのテンプレート画面を作成するステップとを含む。
【００１７】
また、本発明のさらに別の局面に係るテレビ機能付き携帯電話の表示方法は、テレビ番組の放送データを受信するステップと、携帯電話のアプリケーションの画面を表示せずに受信中のテレビ番組の放送データに含まれる画面を表示する表示制御ステップとを含み、表示制御ステップは、テレビ番組の放送データに含まれる画面に含まれる表示オブジェクトの属性を、携帯電話のアプリケーションで用いる表示オブジェクトの属性の少なくとも１つと同一にする。
【００１８】
本発明のある局面に係るテレビ機能付き携帯電話の表示プログラムは、テレビ番組の放送データを受信するチューナを備えたテレビ機能付き携帯電話の表示プログラムであって、コンピュータを、チューナで受信した放送データに含まれる表示オブジェクトの属性を抽出する表示オブジェクト属性抽出部と、チューナでテレビ番組の放送データの受信中に、テレビ画面を表示せずに携帯電話のアプリケーションの画面を表示する表示制御部として機能させ、表示制御部は、携帯電話のアプリケーション画面に含まれる表示オブジェクトの属性を、チューナで受信中のテレビ番組の放送データについて表示オブジェクト属性抽出部で抽出された属性の少なくとも１つと同じにする。
【００１９】
好ましくは、表示オブジェクト属性抽出部は、字幕または文字スーパを構成するフォントの色およびスタイルを抽出し、表示制御部は、携帯電話のアプリケーション画面に含まれるフォントの色およびスタイルを、チューナで受信中のテレビ番組の放送データについて抽出された色およびスタイルと同じにする。
【００２０】
また、本発明の別の局面に係るテレビ機能付き携帯電話の表示プログラムは、テレビ番組の放送データを受信するチューナを備えたテレビ機能付き携帯電話の表示プログラムであって、コンピュータを、受信したテレビ番組の放送データに含まれる表示オブジェクトの描画のためのデータを抽出する表示オブジェクト抽出部と、抽出した表示オブジェクトの描画のためのデータを用いて、表示オブジェクトを含む携帯電話のアプリケーションの画面を表示部に表示する表示制御部として機能させる。
【００２１】
また、本発明のさらに別の局面に係るテレビ機能付き携帯電話の表示プログラムは、テレビ番組の放送データを受信するチューナを備えたテレビ機能付き携帯電話の表示プログラムであって、コンピュータを、受信したテレビ番組の放送データに含まれる画面のスタイルを抽出する画面スタイル抽出部と、抽出した画面のスタイルを用いて、携帯電話のアプリケーションのテンプレート画面を作成するテンプレート画面作成部として機能させる。
【００２２】
また、本発明のさらに別の局面に係るテレビ機能付き携帯電話の表示プログラムは、テレビ番組の放送データを受信するチューナを備えたテレビ機能付き携帯電話の表示プログラムであって、コンピュータを、携帯電話のアプリケーションの画面を表示せずにチューナで受信中のテレビ番組の放送データに含まれる画面を表示する表示制御部として機能させ、表示制御部は、テレビ番組の放送データに含まれる画面に含まれる表示オブジェクトの属性を、携帯電話のアプリケーションで用いる表示オブジェクトの属性の少なくとも１つと同一にする。
【発明の効果】
【００２３】
本発明のテレビ機能付き携帯電話によれば、視聴予約した番組が受信中であることを、その番組を表示することなく、ユーザに確実に通知することができる。
【００２４】
また、本発明のテレビ機能付き携帯電話によれば、受信したテレビ番組で用いられたフォントデータ、または画面スタイルなどを携帯電話の各種のアプリケーションの画面に利用することができる。
【発明を実施するための最良の形態】
【００２５】
以下、本発明の実施の形態について、図面を用いて説明する。
【００２６】
［第１の実施形態］
第１の実施形態は、連動する機能を有するテレビ機能付き携帯電話に関する。
【００２７】
（テレビ機能付き携帯電話の構成）
図１は、第１の実施形態に係るテレビ機能付き携帯電話の構成を示す図である。
【００２８】
図１を参照して、テレビ機能付き携帯電話は、チューナ１１と、表示オブジェクト属性抽出部１２と、表示制御部１３と、複数個の携帯電話アプリケーション実行部１４ａ，１４ｂ，１４ｃと、視聴予約情報記憶部１５と、連動設定情報記憶部１６と、表示部１８と、通話制御部１９と、操作入力部２０とを備える。
【００２９】
チューナ１１は、テレビ番組の放送データを受信する。放送データは、各表示オブジェクトについて、表示オブジェクトの内容（必要な場合）、表示オブジェクトの表示位置（必要な場合）、および表示オブジェクトの属性を含む。
【００３０】
たとえば、表示オブジェクトが「フォント」の場合には、表示オブジェクトの内容としての「文字コード列」、表示オブジェクトの内容として「文字列の表示位置」、表示オブジェクトの属性としての「スタイル、サイズ、色」を含む。ここで、スタイルとは、楷書体、明朝体などを表わす。
【００３１】
また、表示オブジェクトが「ＬＥＤ」の場合には、表示オブジェクトの属性として「色、明滅タイミング」を含む。
【００３２】
視聴予約情報記憶部１５は、視聴予約情報を記憶する。視聴予約情報は、番組ＩＤ、番組開始時刻、番組終了時刻および視聴チャンネルからなる。
【００３３】
連動設定情報記憶部１６は、連動設定情報を記憶する。
【００３４】
図２は、連動設定情報の例を表わす図である。
【００３５】
図２を参照して、連動設定情報は、番組ＩＤ、連動の有無を表わす連動識別子、テレビ画面の表示の有無を表わす表示識別子、表示オブジェクト属性の抽出時間からなる。
【００３６】
連動識別子が「連動有り」で、表示識別子が「テレビ画面の表示有り」のときには、テレビ番組の放送データの表示オブジェクトの属性を用いて、アプリケーションの表示オブジェクトが表示される。
【００３７】
連動識別子が「連動有り」で、表示識別子が「テレビ画面の表示なし」のときには、アプリケーションの表示オブジェクトの属性を用いて、テレビ放送の画面に含まれる表示オブジェクトが表示される。
【００３８】
表示識別子が「テレビ画面の表示有り」の時に、着信などがあると、表示識別子が「テレビ画面の表示なし」に変化する。また、表示識別子が「テレビ画面の表示なし」のときに、ユーザがテレビの視聴を指示すると、表示識別子が「テレビ画面の表示有り」に変化する。
【００３９】
番組開始時刻から表示オブジェクト属性の抽出時間が経過するまでの間、表示オブジェクトの属性が抽出される。表示オブジェクト属性の抽出時間が定められていない場合には、その番組の表示オブジェクト属性の抽出は行なわれない。
【００４０】
表示オブジェクト属性抽出部１２は、放送データから各表示オブジェクトの属性を抽出する。
【００４１】
図３は、抽出した表示オブジェクトの属性の例を表わす。
【００４２】
図３を参照して、表示オブジェクト「フォント」について、属性「ポップ体、赤色」が抽出されている。
【００４３】
表示制御部１３は、「連動有り」で携帯電話アプリケーションの画面を表示する場合に、テレビ画面を表示せずに携帯電話アプリケーションの画面を表示する。表示制御部１３は、受信中のテレビ番組の放送データから抽出した表示オブジェクトの属性の少なくとも１つを用いて、携帯電話アプリケーションの画面内の属性を抽出した表示オブジェクトと同一の表示オブジェクトを表示する。
【００４４】
表示制御部１３は、「連動あり」でテレビ番組の放送データに含まれる画面を表示する場合に、携帯電話のアプリケーション画面を表示せずにテレビ画面を表示する。表示制御部１３は、アプリケーションで用いる表示オブジェクトの属性の少なくとも１つを用いて、テレビ番組の放送データに含まれる画面内のその表示オブジェクトと同一の表示オブジェクトを表示する。
【００４５】
表示制御部１３は、「連動なし」で携帯電話アプリケーションの画面を表示する場合に、アプリケーションで規定されている表示オブジェクトの属性を用いて、携帯電話アプリケーションの画面内の表示オブジェクトを表示する。
【００４６】
表示制御部１３は、「連動なし」でテレビ番組の放送データに含まれる画面を表示する場合に、テレビ画面スタイル、つまり放送データに規定されている表示オブジェクトの属性を用いて、テレビ番組の放送データに含まれる画面内の表示オブジェクトを表示する。
【００４７】
携帯電話アプリケーション実行部１４ａ、１４ｂ、１４ｃは、携帯電話の各種の機能を実行するものを代表的に３種類を表わしたもので、たとえば、メーラ、待受け通知アプリケーション、着信通知アプリケーションなどである。なお、テレビ番組の放送データを受信してテレビ画面を表示する機能を担うアプリケーションは、携帯電話のアプリケーションから除外されるものとする。
【００４８】
表示部１８は、表示制御部１３の制御に基づき、テレビ画面または携帯電話アプリケーションの画面のいずれかを択一的に表示する。また、表示部１８は、テレビ画面または携帯電話アプリケーションの画面と同時に、テレビ画面および携帯電話アプリケーションの画面とは別の背景画像、テレビ画面または携帯電話アプリケーション画面のフレーム枠なども表示する。
【００４９】
通話制御部１９は、このテレビ機能付き携帯電話が電話機として動作するときに、通話の制御を行なう。
【００５０】
操作入力部２０は、ユーザから連動設定情報および視聴予約情報の入力を受付ける。
【００５１】
（テレビ機能付き携帯電話の動作）
図４は、第１の実施形態に係るテレビ機能付き携帯電話の動作手順を表わすフローチャートである。
【００５２】
図４を参照して、チューナ１１は、視聴予約情報にしたがって、番組開始時刻になると視聴チャンネルの番組の放送データを受信する（ステップＳ１０１）。
【００５３】
表示オブジェクト属性抽出部１２は、番組開始時刻から、連動設定情報中の、受信中の番組の番組ＩＤに対応する表示オブジェクト属性情報の抽出時間が経過するまで、表示オブジェクト属性を抽出する（ステップＳ１０３）。
【００５４】
表示制御部１３は、連動設定情報中の、受信中の番組の番組ＩＤに対応する、連動識別子が「連動有り」であり、かつ表示識別子が「テレビ画面の表示有り」に設定されているときには（ステップＳ１０４でＹＥＳ、ステップＳ１０５でＹＥＳ）、携帯電話のアプリケーション画面を表示せずに、テレビ画面を表示部１８に表示する。テレビ画面内の表示オブジェクトのうち、所定の携帯電話アプリケーション（たとえば、着信通知アプリケーション）でも使用する表示オブジェクトと同一のものは、そのアプリケーションで規定されているその表示オブジェクトの属性で表示する（ステップＳ１０６）。
【００５５】
表示制御部１３は、連動設定情報中の、受信中の番組の番組ＩＤに対応する、連動識別子が「連動有り」であり、かつ表示識別子が「テレビ画面の表示なし」に設定されているときには（ステップＳ１０４でＹＥＳ、ステップＳ１０５でＮＯ）、テレビ画面を表示せずに携帯電話アプリケーション画面を表示部１８に表示する。アプリケーション画面内の表示オブジェクトのうち、属性を抽出したテレビ画面の表示オブジェクトと同一のものがあれば、抽出した属性の少なくとも１つを用いて表示する（ステップＳ１０７）。
【００５６】
表示制御部１３は、連動設定情報中の、受信中の番組の番組ＩＤに対応する、連動識別子が「連動なし」であり、かつ表示識別子が「テレビ画面の表示有り」に設定されているときには（ステップＳ１０４でＮＯ、ステップＳ１０８でＹＥＳ）、テレビ画面を表示部１８に表示する。テレビ画面内の表示オブジェクトは、テレビ画面スタイル、つまり放送データに規定されているその表示オブジェクトの属性で表示する（ステップＳ１０９）。
【００５７】
表示制御部１３は、連動設定情報中の、受信中の番組の番組ＩＤに対応する、連動識別子が「連動なし」であり、かつ表示識別子が「テレビ画面の表示なし」に設定されているときには（ステップＳ１０４でＮＯ、ステップＳ１０８でＮＯ）、携帯電話アプリケーション画面を表示部１８に表示する。アプリケーション画面内の表示オブジェクトは、そのアプリケーションで規定されているその表示オブジェクトの属性で表示する（ステップＳ１１０）。
【００５８】
（具体例）
図５は、第１の実施形態の具体例を表わす図である。
【００５９】
連動設定情報には、番組Ａの連動識別子が「連動無し」に設定されており、表示識別子が「テレビ画面の表示なし」に設定されているものとする。また、番組Ｂの連動設定が「連動有り」に設定されており、表示識別子が「テレビ画面の表示なし」に設定されているものとする。また、また、番組Ｃの連動設定が「連動有り」に設定されており、表示識別子が「テレビ画面の表示なし」に設定されているものとする。
【００６０】
表示オブジェクト属性抽出部１２は、番組開始時刻から、連動設定情報中の、番組Ａの表示オブジェクト属性情報の抽出時間が経過するまで、表示オブジェクト属性を抽出する。
【００６１】
表示制御部１７は、連動設定情報中の、番組Ａの連動識別子が「連動なし」であり、かつ表示識別子が「テレビ画面の表示なし」に設定されているので、携帯電話アプリケーションの一つである待受け通知アプリケーションの画面である待受け画面を表示部１８に表示する。表示制御部１７は、待受け通知画面内の表示オブジェクトである「フォント」は、待受け通知アプリケーションで規定されている属性で表示する。
【００６２】
番組Ｂの放送データには、字幕または文字スーパを構成する表示オブジェクト「フォント」について、「あいうえお」を表わす文字コード列と、表示位置と、表示オブジェクト属性「ポップ体、赤色、２０ポイント」が含まれている。表示オブジェクト属性抽出部１２は、番組開始時刻から、連動設定情報中の、番組Ｂの表示オブジェクト属性情報の抽出時間が経過するまで、表示オブジェクト属性を抽出する。ここでは、表示オブジェクト「フォント」について、表示オブジェクト属性「ポップ体、赤色、２０ポイント」が抽出される。
【００６３】
表示制御部１７は、連動設定情報中の、番組Ｂの連動識別子が「連動有り」であり、かつ表示識別子が「テレビ画面の表示なし」に設定されているので、携帯電話アプリケーションである待受け通知アプリケーションの画面である待受け画面および着信通知アプリケーションの画面である着信画面を表示部１８に表示する。表示制御部１７は、アプリケーション画面内の表示オブジェクトのうち、属性を抽出したテレビ画面の表示オブジェクト「フォント」と同一の表示オブジェクトがあるので、抽出した属性の少なくとも１つを用いて表示する。ここでは、待受け画面および着信画面のフォントが「ポップ体、赤」で表示される。
【００６４】
番組Ｃの放送データには、字幕または文字スーパを構成する表示オブジェクト「フォント」について、「春夏秋冬」を表わす文字コード列と、表示位置と、表示オブジェクト属性「楷書体、緑色、１２ポイント」が含まれている。表示オブジェクト属性抽出部１２は、番組開始時刻から、連動設定情報中の、番組Ｃの表示オブジェクト属性情報の抽出時間が経過するまで、表示オブジェクト属性を抽出する。ここでは、表示オブジェクト「フォント」について、表示オブジェクト属性「楷書体、緑色、２０ポイント」が抽出される。
【００６５】
表示制御部１７は、連動設定情報中の、番組Ｃの連動識別子が「連動有り」であり、かつ表示識別子が「テレビ画面の表示なし」に設定されているので、携帯電話アプリケーションである待受け通知アプリケーションの画面である待受け画面を表示部１８に表示する。表示制御部１７は、アプリケーション画面内の表示オブジェクトのうち、属性を抽出したテレビ画面の表示オブジェクト「フォント」と同一の表示オブジェクトがあるので、抽出した属性の少なくとも１つを用いて表示する。ここでは、待受け画面のフォントが「楷書体、緑」で表示される。
【００６６】
以上のように、第１の実施形態に係るテレビ機能付き携帯電話によれば、視聴予約した番組が受信中であることを、その番組を表示することなく、ユーザに確実に通知することができる。また、携帯電話の各種のアプリケーションの画面の文字の属性と、テレビ画面の字幕または文字スーパなどの属性の設定が容易かつ統一的に行なえ、作業効率の向上および多様な表示設定への対応が可能となる。
【００６７】
［第１の実施形態の変形例］
第１の実施形態では、表示制御部１３は、連動設定情報中の、受信中の番組の番組ＩＤに対応する、連動識別子が「連動なし」であり、かつ表示識別子が「テレビ画面の表示なし」に設定されているときには、携帯電話アプリケーション画面を表示部１８に表示し、アプリケーション画面内の表示オブジェクトは、そのアプリケーションで規定されているその表示オブジェクトの属性で表示するものとしたが、これに限定するものではない。
【００６８】
たとえば、アプリケーション画面内の表示オブジェクトは、以前に受信したある番組αについて抽出した表示オブジェクトの属性を用いて表示するものとしてもよいし、以前に受信したある番組αで抽出した表示オブジェクトの属性と、以前に受信した別の番組βについて抽出した表示オブジェクトの属性を用いて表示するものとしてもよい。
【００６９】
［第２の実施形態］
第２の実施形態は、放送データに含まれる表示オブジェクトを描画するためのデータを抽出して、携帯電話アプリケーションの画面を表示する際に、抽出したデータを利用する機能を有するテレビ機能付き携帯電話に関する。
【００７０】
（テレビ機能付き携帯電話の構成）
図６は、第２の実施形態に係るテレビ機能付き携帯電話の構成を示す図である。
【００７１】
図６を参照して、このテレビ機能付き携帯電話は、チューナ１１と、表示オブジェクト抽出部４１と、表示オブジェクト記憶部４４と、表示オブジェクト削除部４３と、表示オブジェクト利用情報記憶部４２と、携帯電話アプリケーション実行部４６ａ，４６ｂ，４６ｃと、表示制御部４５と、表示部１８とを備える。
【００７２】
チューナ１１は、テレビ番組の放送データを受信する。
【００７３】
表示オブジェクト利用情報記憶部４２は、表示オブジェクト利用情報を記憶する。
【００７４】
図７は、表示オブジェクト利用情報の例を表わす図である。
【００７５】
図７に示すように、表示オブジェクト利用情報は、番組ＩＤと、対象表示オブジェクトと、保存期間と、利用期間とからなる。番組ＩＤは、表示オブジェクトを描画するためのデータを抽出する番組を定める。対象表示オブジェクトは、描画するためのデータを抽出する表示オブジェクトを定める。保存期間は、抽出した表示オブジェクトを描画するためのデータを保存しておく期間を定める。利用期間は、抽出した表示オブジェクトを描画するためのデータが利用可能な期間を定める。
【００７６】
表示オブジェクト抽出部４１は、表示オブジェクト利用情報記憶部４２内の表示オブジェクト利用情報を参照して、番組ＩＤが存在する番組の放送データに含まれる対象表示オブジェクトを描画するためのデータを抽出して、表示オブジェクト記憶部４４に書込む。表示オブジェクトを描画するためのデータとは、表示オブジェクトがフォントの場合には、そのフォントのビットマップデータである。
【００７７】
表示オブジェクト記憶部４４は、抽出された表示オブジェクトの描画のためのデータを保存する。
【００７８】
表示オブジェクト削除部４３は、表示オブジェクト利用情報に設定されている表示オブジェクトの保存期間終了後に、表示オブジェクト記憶部４４内のその表示オブジェクトの描画のためのデータを削除する。
【００７９】
携帯電話アプリケーション実行部４６ａ，４６ｂ，４６ｃは、携帯電話の各種の機能を実行するものを代表的に３種類を表わしたもので、たとえば、メーラ、待受け通知アプリケーション、着信通知アプリケーションなどである。
【００８０】
表示制御部４５は、表示オブジェクト記憶部４４に保存されている表示オブジェクトの描画のためのデータを用いて、表示オブジェクトを含む携帯電話アプリケーションの画面を表示する。
【００８１】
表示部１８は、表示制御部１３の制御に基づき、テレビ画面または携帯電話アプリケーションの画面を表示する。また、表示部１８は、テレビ画面または携帯電話アプリケーションの画面と同時に、テレビ画面および携帯電話アプリケーションの画面とは別の背景画像、テレビ画面または携帯電話アプリケーション画面のフレーム枠なども表示する。
【００８２】
（テレビ機能付き携帯電話の動作）
図８は、第２の実施形態に係るテレビ機能付き携帯電話の動作手順を表わすフローチャートである。
【００８３】
図８を参照して、まず、チューナ１１は、番組の放送データを受信する（ステップＳ２０１）。
【００８４】
次に、表示オブジェクト抽出部４１は、表示オブジェクト利用情報記憶部４２内の表示オブジェクト利用情報内にその番組の番組ＩＤが存在するときには（ステップＳ２０２でＹＥＳ）、放送データに含まれる対象表示オブジェクトを描画するためのデータを抽出して、表示オブジェクト記憶部４４に書込む（ステップＳ２０３）。
【００８５】
表示オブジェクト削除部４３は、表示オブジェクト利用情報記憶部４２内の表示オブジェクト利用情報を参照して、表示オブジェクト記憶部４４内の表示オブジェクトの描画のためのデータについて保存期間が終了していれば（ステップＳ２０４でＮＯ）、その表示オブジェクトの描画のためのデータを削除する（ステップＳ２０８）。
【００８６】
各携帯電話アプリケーション実行部４６ａ，４６ｂ，４６ｃは、表示オブジェクト利用情報記憶部４２内の表示オブジェクト利用情報を参照して、表示オブジェクト記憶部４４内の表示オブジェクトの描画のためのデータについて利用期間内であれば（ステップＳ２０５でＹＥＳ）、その表示オブジェクトを利用可能とする。表示制御部４５は、利用可能とされた表示オブジェクトを含む画面を表示する際に、画面に含まれる表示オブジェクトのすべての種類（たとえば表示オブジェクトが「フォント」の場合、画面に表示されるすべての文字）について、描画するためのビットマップデータが抽出済みの場合に、抽出されたビットマップデータを用いて、その表示オブジェクトを表示する。表示制御部４５は、まだ抽出されていないときには、携帯電話で予め所有している描画のためのデータを用いて、その表示オブジェクトを表示部１８に表示する（ステップＳ２０６）。
【００８７】
チューナ１１は、番組の終了時刻を過ぎるまで（ステップＳ２０７でＮＯ）、ステップＳ２０１に戻り、番組の放送データを受信する。
【００８８】
（具体例）
図９は、第２の実施形態の具体例を表わす図である。
【００８９】
表示オブジェクト利用情報には、番組Ｂの番組ＩＤと番組Ｃの番組ＩＤが登録されている。そして、表示オブジェクト利用情報には、番組Ｂについて、対象表示オブジェクトが「フォント」で、利用期間が「取得後、番組終了まで」と定められている。また、表示オブジェクト利用情報には、番組Ｃについて、対象表示オブジェクトが「フォント」で、利用期間が、「取得後の全期間」と定められている。
【００９０】
図９を参照して、番組Ｂの放送開始時刻「１０：００」になると、表示オブジェクト抽出部４１は、番組Ｂの放送データから「ポップ体、赤」のフォントの表示オブジェクトを描画するためのデータ（つまり、ビットマップデータ）を抽出する。
【００９１】
そして、表示制御部４５は、番組Ｂの放送中に、フォントを含む待受け画面を表示する際に、画面に含まれるフォント（０、１、２、３、４、５、６、７、８、９、：）のすべてについて、それを「ポップ体、赤」で描画するためのビットマップデータが抽出済みの場合に、抽出されたビットマップデータを用いて、そのフォントを表示する。まだ、抽出されていないときには、携帯電話で予め所有している「明朝体、黒」のビットマップデータを用いて、そのフォントを表示する。
【００９２】
また、表示制御部４５は、番組Ｂの放送中に、フォントを含む着信画面を表示する際に、画面に含まれるフォント（０、１、２、３、４、５、６、７、８、９、太、郎、◎、×、：）のすべてについて、それを「ポップ体、赤」で描画するためのビットマップデータが抽出済みの場合に、抽出されたビットマップデータを用いて、そのフォントを表示する。まだ、抽出されていないときには、携帯電話で予め所有している「明朝体、黒」のビットマップデータを用いて、そのフォントを表示する。
【００９３】
表示制御部４５は、番組Ｂの放送中に、フォントを含むサブ画面を表示する際に、画面に含まれるフォント（０、１、２、３、４、５、６、７、８、９、：）のすべてについて、それを「ポップ体、赤」で描画するためのビットマップデータが抽出済みの場合に、抽出されたビットマップデータを用いて、そのフォントを表示する。まだ、抽出されていないときには、携帯電話で予め所有している「明朝体、黒」のビットマップデータを用いて、そのフォントを表示する。
【００９４】
さらに、番組Ｃの放送開始時刻「１１：００」になると、表示オブジェクト抽出部４１は、番組Ｃの放送データから「楷書体、緑」のフォントの表示オブジェクトを描画するためのデータ（つまり、ビットマップデータ）を抽出する。
【００９５】
そして、表示制御部４５は、番組Ｃの放送中に、フォントを含む待受け画面を表示する際に、画面に含まれるフォント（一、時、十、ニ、分）のすべてについて、それを「楷書体、緑」で描画するためのビットマップデータが抽出済みの場合に、抽出されたビットマップデータを用いて、そのフォントを表示する。まだ、抽出されていないときには、携帯電話で予め所有している「明朝体、黒」のビットマップデータを用いて、そのフォントを表示する。
【００９６】
また、表示制御部４５は、番組Ｃの放送中に、フォントを含むサブ画面を表示する際に、画面に含まれるフォント（０、１、２、３、４、５、６、７、８、９、：）のすべてについて、それを「楷書体、緑」で描画するためのビットマップデータが抽出済みの場合に、抽出されたビットマップデータを用いて、そのフォントを表示する。まだ、抽出されていないときには、携帯電話で予め所有している「明朝体、黒」のビットマップデータを用いて、そのフォントを表示する。
【００９７】
以上のように、第２の実施形態に係るテレビ機能付き携帯電話によれば、受信したテレビ番組のフォントデータなどの表示オブジェクトを描画するためのデータを取得して、携帯電話アプリケーションの画面に利用することができる。また、テレビ番組で用いられたフォントなどが携帯電話アプリケーション画面として利用されるので、そのテレビ番組の宣伝としても利用することもできる。
【００９８】
［第３の実施形態］
第３の実施形態は、放送データに含まれる画面のスタイルを抽出して、それを携帯電話アプリケーションのテンプレート画面として利用する機能を有するテレビ機能付き携帯電話に関する。
【００９９】
（テレビ機能付き携帯電話の構成）
図１０は、第３の実施形態に係るテレビ機能付き携帯電話の構成を示す図である。
【０１００】
図１０を参照して、このテレビ機能付き携帯電話は、チューナ１１と、操作入力部５１と、表示オブジェクト属性抽出部５２と、表示オブジェクト属性記憶部５３と、メーラ５４と、メーラ画面テンプレート作成部５５と、通話制御部１９と、表示部１８とを備える。
【０１０１】
チューナ１１は、テレビ番組の放送データを受信する。
【０１０２】
操作入力部５１は、ユーザから、メーラ５４のテンプレート画面の作成の指示、メーラ５４のテンプレート画面として利用する画面の指定、およびメール文の入力を受付ける。
【０１０３】
画面スタイル抽出部５２は、ユーザが指定した画面の画面スタイルを抽出して、画面スタイル記憶部５３に書込む。
【０１０４】
画面スタイル記憶部５３は、画面スタイルを記憶する。画面スタイルは、たとえば、枠の色、背景色、イラスト（またはロゴ）画像、フォント属性（フォントサイズ、フォント背景色、フォントカラー、フォントスタイル）を含む。
【０１０５】
メーラ５４は、電子メールの作成、送受信、および受信した電子メールの保存と管理を行なうアプリケーションである。
【０１０６】
テンプレート画面作成部５５は、抽出されて画面スタイル記憶部５３に保存されている画面スタイルを用いて、メーラ５４のテンプレート画面を作成する。
【０１０７】
通話制御部１９は、このテレビ機能付き携帯電話が電話機として動作するときに、通話の制御を行なう。
【０１０８】
表示部１８は、表示制御部１３の制御に基づき、テレビ画面または携帯電話アプリケーションの画面を表示する。また、表示部１８は、テレビ画面または携帯電話アプリケーションの画面と同時に、テレビ画面および携帯電話アプリケーションの画面とは別の背景画像、テレビ画面または携帯電話アプリケーション画面のフレーム枠なども表示する。
【０１０９】
（テレビ機能付き携帯電話の動作）
図１１は、第３の実施形態に係るテレビ機能付き携帯電話の動作手順を表すフローチャートである。
【０１１０】
操作入力部５１は、ユーザからメーラのテンプレート画面の作成の指示を受付ける（ステップＳ３０１）。
【０１１１】
チューナ１１は、番組の放送データを受信して、受信した放送データに含まれる画面を順次表示する。操作入力部５１は、ユーザからメーラのテンプレート画面として利用する画面の指定を受付ける（ステップＳ３０２）。
【０１１２】
画面スタイル抽出部５２は、指定された画面のスタイルを抽出して、画面スタイル記憶部５３に書込む（ステップＳ３０３）。
【０１１３】
テンプレート画面作成部５５は、画面スタイル記憶部５３に記憶されている画面スタイルのうちの、枠の色、背景色および／またはイラスト画像を用いて、メーラのテンプレート画面を作成する（ステップＳ３０４）。
【０１１４】
メーラ５４は、作成されたメーラのテンプレート画面を表示部１８に表示する。テンプレート画面作成部５５は、操作入力部５１を通じてユーザからメール文の入力があったときに、画面スタイルのうちのフォント属性（フォントサイズ、フォント背景色、フォントカラー、フォントスタイル）を用いて、メール文を表示する（ステップＳ３０５）。
【０１１５】
メーラ５４は、作成されたメール文を送信する（ステップＳ３０６）。
【０１１６】
（具体例）
図１２は、第３の実施形態の具体例を表わす図である。
【０１１７】
１０：４２：４３に表示された画面が指定されて、画面スタイル抽出部５２は、指定された画面のスタイルを抽出する。ここでは、枠の色としての「黄色」、背景色としての「青色」、イラスト（またはロゴ）画像、フォントサイズとしての「２０ポイント」、フォント背景色としての「水色」、フォントカラーとしての「赤」、フォントスタイルとしての「ポップ体」を含む。
【０１１８】
そして、テンプレート画面作成部５５は、枠の色としての「黄色」、背景色としての「青色」、イラスト画像を含むテンプレート画面を作成する。
【０１１９】
また、テンプレート画面作成部５５は、メール文「こんにちは」の入力があると、フォントサイズとして「２０ポイント」、フォント背景色として「水色」、フォントカラーとしての「赤」、フォントスタイルとしての「ポップ体」を用いて、メール文「こんにちは」を表示する。
【０１２０】
以上のように、第３の実施形態に係るテレビ機能付き携帯電話によれば、受信したテレビ番組の画面のスタイルを抽出して、携帯電話アプリケーションのテンプレート画面に利用することができる。また、テレビ番組で用いられた画面スタイルが携帯電話アプリケーション画面として利用されるので、そのテレビ番組の宣伝としても利用することもできる。
【０１２１】
［第３の実施形態の変形例］
（１）  フォトフレームのテンプレート画面
テンプレート画面作成部５５は、メーラのテンプレート画面を作成したが、フォトフレームのテンプレート画面を作成するものとしてもよい。フォトフレームとは、このテレビ機能付き携帯電話が備えるデジタルカメラで撮影した写真画像を表示するためのものである。
【０１２２】
（２）  画面スタイルとして利用する画面
本発明の実施形態では、チューナで受信した番組の放送データに含まれる１画面の画面スタイルを抽出したが、これに限定するものではない。予め録画したテレビ番組を再生して、再生された画面から画面スタイルを抽出する画面を選択してもよい。
【０１２３】
また、画面スタイルを抽出する番組は、すべての番組であってもよいし、視聴予約した番組など特定の番組に限定するものとしてもよい。
【０１２４】
（３）  表示オブジェクトの属性
本発明の実施形態では、テレビ画面を表示せずに携帯電話アプリケーション画面を表示する場合に、アプリケーション画面内の表示オブジェクトのうち、属性を抽出したテレビ画面の表示オブジェクトと同一のものがあれば、抽出した属性の少なくとも１つを用いて表示するものとした。すなわち、テレビ画面内の図形の属性が抽出されている場合には、携帯電話アプリケーション画面内の図形の属性を、抽出したテレビ画面内の図形の属性と同一にしたが、これに限定するものではない。
【０１２５】
たとえば、テレビ画面内のフォントの色の属性が抽出されている場合に、携帯電話アプリケーション画面内の図形の色の属性を、抽出したフォントの色の属性と同一にするものとしてもよい。あるいは、テレビ画面内のフォントのサイズの属性（大、中または小の３段階のいずれか）が抽出されている場合に、携帯電話アプリケーション画面内の図形のサイズの属性（大、中または小の３段階）を、抽出したフォントのサイズの属性と同一にするものとしてもよい。
【０１２６】
同様に、携帯電話のアプリケーション画面を表示せずにテレビ画面を表示部１８に表示する場合に、テレビ画面内の表示オブジェクトのうち、所定の携帯電話アプリケーション（たとえば、着信通知アプリケーション）でも使用する表示オブジェクトと同一のものは、そのアプリケーションで規定されているその表示オブジェクトの属性で表示するものとした。すなわち、テレビ画面内の表示オブジェクトがフォントの場合には、そのフォントの属性を、着信通信アプリケーションで使用するフォントの属性と同一にしたが、これに限定するものではない。
【０１２７】
たとえば、テレビ画面内の図形の色の属性を、着信通知アプリケーションで使用するフォントの色の属性と同一にするものとしてもよい。あるいは、テレビ画面内のフォントのサイズの属性（大、中または小の３段階）を、着信通知アプリケーションで使用する図形のサイズの属性（大、中または小の３段階のいずれか）と同一にするものとしてもよい。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２９】
【図１】第１の実施形態に係るテレビ機能付き携帯電話の構成を示す図である。
【図２】連動設定情報の例を表わす図である。
【図３】抽出した表示オブジェクトの属性の例を表わす図である。
【図４】第１の実施形態に係るテレビ機能付き携帯電話の動作手順を表わすフローチャートである。
【図５】第１の実施形態の具体例を表わす図である。
【図６】第２の実施形態に係るテレビ機能付き携帯電話の構成を示す図である。
【図７】表示オブジェクト利用情報の例を表わす図である。
【図８】第２の実施形態に係るテレビ機能付き携帯電話の動作手順を表わすフローチャートである。
【図９】第２の実施形態の具体例を表わす図である。
【図１０】第３の実施形態に係るテレビ機能付き携帯電話の構成を示す図である。
【図１１】第３の実施形態に係るテレビ機能付き携帯電話の動作手順を表すフローチャートである。
【図１２】第３の実施形態の具体例を表わす図である。
【符号の説明】
【０１３０】
１１  チューナ、１２  表示オブジェクト属性抽出部、１５  視聴予約情報記憶部、１６  連想情報記憶部、１８  表示部、１９  通話制御部、２０，５１  操作入力部、２１  表示オブジェクト属性記憶部、４１  表示オブジェクト抽出部、４２  表示オブジェクト利用情報記憶部、４３  表示オブジェクト削除部、４４  表示オブジェクト記憶部、１３，４５  表示制御部、１４ａ，１４ｂ，１４ｃ，４６ａ，４６ｂ，４６ｃ  携帯電話アプリケーション実行部、５２  画面スタイル抽出部、５３  画面スタイル記憶部、５４  メーラ、５５  テンプレート画面作成部。
【図１】
2006186769.tif 000003
【図２】
2006186769.tif 000004
【図３】
2006186769.tif 000005
【図４】
2006186769.tif 000006
【図５】
2006186769.tif 000007
【図６】
2006186769.tif 000008
【図７】
2006186769.tif 000009
【図８】
2006186769.tif 000010
【図９】
2006186769.tif 000011
【図１０】
2006186769.tif 000012
【図１１】
2006186769.tif 000013
【図１２】
2006186769.tif 000014